(57)【要約】【課題】、第１貯留皿が満杯ではない状態で遊技媒体が第２貯留皿に払い出されるエラー払出の発生を従来より抑制することが可能な遊技機を提供する。【解決手段】本発明のパチンコ遊技機１０では、払出装置７２の球払出口７２Ｘから下方に排出された遊技球は、略水平に方向変換され庇ガイド壁３８の上面３８Ｊ上を転動する。そして、庇ガイド壁３８の先端から流下した遊技球は、分配ボックス３４の前側壁３７Ｚと衝突して斜め下方に跳ね返されて第１皿導入口１０１Ｓに向かい、第１貯留皿２６に払い出される。このとき、流下速度の水平成分が大きい場合には跳ね返り距離が大きくなり、遊技球は第２皿導入口に進入して下皿に払い出されるが、本発明では、庇ガイド壁３８の上方に回動扉４１を設け、前側壁３７Ｚに緩衝部材４０を備えたので、流下速度の水平成分を抑えてエラー払出の発生を抑制することができる。【選択図】図１６
2011024923.tif 000002
【特許請求の範囲】
【請求項１】
払出条件の成立に起因して遊技媒体を排出口から下方に排出する払出装置と、
遊技機の前面に設けられて、前記払出装置との間をメイン流下ガイドによって連絡され、前記払出装置から排出された遊技媒体が払い出される第１貯留皿と、
遊技機の前面に設けられて、前記メイン流下ガイドの中間の分岐部との間を第２貯留皿ガイドによって連絡され、前記第１貯留皿が満杯になって前記分岐部から前記第２貯留皿ガイドに溢れた遊技媒体が払い出される第２貯留皿とを備えた遊技機において、
前記メイン流下ガイドのうち前記分岐部と前記払出装置との間には、前記払出装置から下方に排出された遊技媒体の流下方向を略水平又は鉛直より水平に近い傾斜方向に方向変換する方向変換部と、前記方向変換部の終端部側から略水平に延び、或いは、鉛直より水平に近い傾斜角で傾斜して延び、遊技媒体を前記払出装置の排出口の下方位置からずれた位置に転動させる中間転動面と、前記中間転動面の終端部との間に間隔を空けて設けられ、前記中間転動面の終端部側から落下した遊技媒体と衝突して斜め下方に跳ね返すことが可能な跳返側壁とが備えられ、
前記メイン流下ガイドのうち前記分岐部と前記第１貯留皿との間を連絡する第１貯留皿ガイドにおける前記分岐部側の第１皿導入口の少なくとも一部は、前記第２貯留皿ガイドにおける前記分岐部側の第２皿導入口に比べて、前記払出装置の排出口の下方位置から遠くにずらされると共に、前記中間転動面の終端部と前記跳返側壁との間に配置されかつ上方を向いて開放し、
前記メイン流下ガイドのうち前記分岐部と前記払出装置との間には、遊技媒体と衝突してその遊技媒体の流下速度における水平成分を低減させる媒体速度低減手段を備えたことを特徴とする遊技機。
【請求項２】
前記第２皿導入口を、前記払出装置の排出口の下方或いは／及び前記中間転動面の下方側に配置したことを特徴とする請求項１に記載の遊技機。
【請求項３】
前記媒体速度低減手段は、前記跳返側壁に設けられて前記遊技媒体の衝突による衝撃を吸収可能な緩衝部材であることを特徴とする請求項１又は２に記載の遊技機。
【請求項４】
前記媒体速度低減手段は、前記中間転動面の上方側に配置された支軸部に回動可能に軸支されて、通常は、前記支軸部から垂下した垂下位置に配置されると共に、前記中間転動面上を転動する遊技媒体により押し上げられて、前記遊技媒体の通過を許容する開放位置へと回動する回動扉であることを特徴とする請求項１乃至３の何れか１の請求項に記載の遊技機。
【請求項５】
前記回動扉が前記垂下位置から前記開放位置と反対側に回動することを規制する回動ストッパと、
前記払出装置から排出された遊技媒体が通過すると共に前記垂下位置に配置された前記回動扉によって閉塞される中間弁口とを備えことを特徴とする請求項４に記載の遊技機。
【請求項６】
前記第１貯留皿ガイドには、前記第１皿導入口の内側で鉛直方向と略平行になりかつ前記第１皿導入口の下方奥側に向かうに従って遊技機の前側に向かうように湾曲した下流湾曲ガイド面が備えられていることを特徴とする請求項１乃至５の何れか１の請求項に記載の遊技機。
【請求項７】
前記第１皿導入口より上方には、前記メイン流下ガイドの内部で庇状に張り出し、上面が前記中間転動面になった庇ガイド壁が備えられ、
前記下流湾曲ガイド面を上方に延長した延長面が、前記庇ガイド壁の下面と交差するように配置したことを特徴とする請求項６の請求項に記載の遊技機。
【請求項８】
前記回動扉と遊技媒体との摩擦係数が、前記中間転動面と遊技媒体との摩擦係数より大きいことを特徴とする請求項４又は５に記載の遊技機。
【発明の詳細な説明】
【技術分野】
【０００１】
本発明は、払出装置から下方側に排出された遊技媒体がメイン流下ガイドに案内されて通常は第１貯留皿に払い出され、第１貯留皿が満杯になるとメイン流下ガイドの中間部から分岐した第２貯留皿ガイドを通って第２貯留皿に払い出される遊技機に関する。
【背景技術】
【０００２】
この種の遊技機として知られる従前のパチンコ遊技機は、メイン流下ガイドのうち分岐部と第１貯留皿との間を連絡する第１貯留皿ガイドの第１皿導入口が、払出装置の排出口から下方位置に配置され、第２貯留皿ガイドの第２皿導入口が払出装置の下方位置からずらされた構造のものが一般的であった（例えば、特許文献１参照）
【先行技術文献】
【特許文献】
【０００３】
【特許文献１】特開２００８−２９５８２２号公報（［００１９］、第２図、第５図）
【発明の概要】
【発明が解決しようとする課題】
【０００４】
ところで、近年の遊技機の多様化に伴い、上記したパチンコ遊技機とは異なり、第１貯留皿ガイドの第１皿導入口の方が、第２貯留皿ガイドの第２皿導入口に比べて払出装置の排出口の下方位置より遠くにずらして配置された遊技機が登場してきている。このような遊技機では、排出口から下方に排出された遊技媒体を水平方向に流下方向を変更してから第１貯留皿ガイドの第１皿導入口へと進入させる必要がある。しかしながら、遊技媒体の流下速度における水平成分が抑えきれないために分岐部の内面で側方に跳ね返り、第１貯留皿は満杯ではない状態で第２貯留皿に払い出される「エラー払出」が発生することがあった。
【０００５】
本発明は、上記事情に鑑みてなされたもので、エラー払出を抑制することが可能な遊技機の提供を目的とする。
【課題を解決するための手段】
【０００６】
上記目的を達成するためになされた請求項１の発明に係る遊技機は、払出条件の成立に起因して遊技媒体を排出口から下方に排出する払出装置と、遊技機の前面に設けられて、払出装置との間をメイン流下ガイドによって連絡され、払出装置から排出された遊技媒体が払い出される第１貯留皿と、遊技機の前面に設けられて、メイン流下ガイドの中間の分岐部との間を第２貯留皿ガイドによって連絡され、第１貯留皿が満杯になって分岐部から第２貯留皿ガイドに溢れた遊技媒体が払い出される第２貯留皿とを備えた遊技機において、メイン流下ガイドのうち分岐部と払出装置との間には、払出装置から下方に排出された遊技媒体の流下方向を略水平又は鉛直より水平に近い傾斜方向に方向変換する方向変換部と、方向変換部の終端部側から略水平に延び、或いは、鉛直より水平に近い傾斜角で傾斜して延び、遊技媒体を払出装置の排出口の下方位置からずれた位置に転動させる中間転動面と、中間転動面の終端部との間に間隔を空けて設けられ、中間転動面の終端部側から落下した遊技媒体と衝突して斜め下方に跳ね返すことが可能な跳返側壁とが備えられ、メイン流下ガイドのうち分岐部と第１貯留皿との間を連絡する第１貯留皿ガイドにおける分岐部側の第１皿導入口の少なくとも一部は、第２貯留皿ガイドにおける分岐部側の第２皿導入口に比べて、払出装置の排出口の下方位置から遠くにずらされると共に、中間転動面の終端部と跳返側壁との間に配置されかつ上方を向いて開放し、メイン流下ガイドのうち分岐部と払出装置との間には、遊技媒体と衝突してその遊技媒体の流下速度における水平成分を低減させる媒体速度低減手段を備えたところに特徴を有する。
【０００７】
請求項２の発明は、請求項１に記載の遊技機において、第２皿導入口を、払出装置の排出口の下方或いは／及び中間転動面の下方側に配置したところに特徴を有する。
【０００８】
請求項３の発明は、請求項１又は２に記載の遊技機において、媒体速度低減手段は、跳返側壁に設けられて遊技媒体の衝突による衝撃を吸収可能な緩衝部材であるところに特徴を有する。
【０００９】
請求項４の発明は、請求項１乃至３の何れか１の請求項に記載の遊技機において、媒体速度低減手段は、中間転動面の上方側に配置された支軸部に回動可能に軸支されて、通常は、支軸部から垂下した垂下位置に配置されると共に、中間転動面上を転動する遊技媒体により押し上げられて、遊技媒体の通過を許容する開放位置へと回動する回動扉であるところに特徴を有する。
【００１０】
請求項５の発明は、請求項４に記載の遊技機において、回動扉が垂下位置から開放位置と反対側に回動することを規制する回動ストッパと、払出装置から排出された遊技媒体が通過すると共に垂下位置に配置された回動扉によって閉塞されるところに特徴を有する。
【００１１】
請求項６の発明は、請求項１乃至５の何れか１の請求項に記載の遊技機において、第１貯留皿ガイドには、第１皿導入口の内側で鉛直方向と略平行になりかつ第１皿導入口の下方奥側に向かうに従って遊技機の前側に向かうように湾曲した下流湾曲ガイド面が備えられているところに特徴を有する。
【００１２】
請求項７の発明は、請求項６の請求項に記載の遊技機において、第１皿導入口より上方には、メイン流下ガイドの内部で庇状に張り出し、上面が中間転動面になった庇ガイド壁が備えられ、下流湾曲ガイド面を上方に延長した延長面が、庇ガイド壁の下面と交差するように配置したところに特徴を有するところに特徴を有する。
【００１３】
請求項８の発明は、請求項４又は５に記載の遊技機において、回動扉と遊技媒体との摩擦係数が、中間転動面と遊技媒体との摩擦係数より大きいところに特徴を有する。
【発明の効果】
【００１４】
［請求項１の発明］
請求項１の遊技機では、払出装置から下方に排出された遊技媒体は、メイン流下ガイドに備えた方向変換部によって流下方向を略水平又は鉛直より水平に近い傾斜方向に方向変換され、その方向変換部の終端部側から中間転動面上を転動して払出装置の下方位置から離れるように移動する。そして、中間転動面の終端部側から落下した遊技媒体は、流下速度の水平成分が比較的大きな場合には、跳返側壁に衝突して斜め下方に跳ね返されて第１皿導入口に向かう一方、流下速度の水平成分が比較的小さい場合には、その遊技媒体は跳返側壁に衝突せずに直接第１皿導入口に向かう。ここで、メイン流下ガイドのうち分岐部と払出装置との間には、遊技媒体と衝突してその遊技媒体の流下速度における水平成分を低減させる媒体速度低減手段が備えられているので、中間転動面上を転動している間又は跳返側壁に衝突したときに、遊技媒体の流下速度の水平成分が低減される。これにより、遊技媒体の側方への跳ね返り距離が従来より抑えられ、第１貯留皿は満杯ではない状態で第２貯留皿に払い出されるエラー払出の発生を抑制することが可能になる。
【００１５】
［請求項２の発明］
本発明によれば、メイン流下ガイドに、方向変換部と中間転動面上と跳返側壁とを設けたことで、遊技媒体の流下経路はクランク状に屈曲した状態になる。そして、請求項２の構成によれば、遊技媒体の流下経路におけるクランク状に屈曲した部分の下方に第２皿導入口が配置されることになり、スペースの有効利用が図られる。
【００１６】
［請求項３の発明］
請求項３の構成では、中間転動面の終端部側から落下した遊技媒体が緩衝部材に衝突してその衝撃が吸収され、遊技媒体の流下速度の水平成分が低減される。これにより、遊技媒体の側方への跳ね返り距離が従来より抑えられ、エラー払出の発生を抑制することが可能になる。
【００１７】
［請求項４の発明］
請求項４の構成によれば、遊技媒体が中間転動面上を転動するときに回動扉を押し上げるようにして通過することで、その遊技媒体の流下速度における水平成分が低減される。これにより、遊技媒体の側方への跳ね返り距離を従来より抑えられ、エラー払出の発生を抑制することが可能になる。
【００１８】
［請求項５の発明］
請求項５の構成によれば、回動扉は、垂下位置になると中間弁口を閉塞し、その垂下位置より上流側（開放位置と反対側）に回動しないので、第１貯留皿又は第２貯留皿から針金を挿入してもその針金は中間弁口より上流側の払出装置には到達できず、これによりゴト行為が防止される。
【００１９】
［請求項６の発明］
請求項６の構成によれば、中間転動面の終端から落下した遊技媒体が、第１皿導入口の奥側の下流湾曲ガイド面に案内されてスムーズに第１貯留皿に払い出される。
【００２０】
［請求項７の発明］
請求項７の構成では、メイン流下ガイドの内部で庇状に張り出し、上面が中間転動面になった庇ガイド壁が備えられている。そして、下流湾曲ガイド面を上方に延長した延長面が庇壁の下面と交差するので、第１貯留皿から針金を挿入しても、その針金は庇壁の下面に当接することになり、払出装置に到達しない。これにより、ゴト行為の防止が図られる。
【００２１】
［請求項８の発明］
請求項８の構成では、回動扉と遊技媒体との摩擦係数が中間転動面と遊技媒体との摩擦係数より大きいので、遊技媒体が中間転動面上を摺接しながら移動することなり、遊技媒体の流下速度が抑えられる。
【図面の簡単な説明】
【００２２】
【図１】本発明の一実施形態に係るパチンコ遊技機の正面図
【図２】パチンコ遊技機の分解斜視図
【図３】パチンコ遊技機の分解斜視図
【図４】パチンコ遊技機の後面側斜視図
【図５】遊技球の流下経路の斜視図
【図６】パチンコ遊技機の背面図
【図７】パチンコ遊技機の側面図
【図８】ガラス扉を開いた状態のパチンコ遊技機の前面側斜視図
【図９】皿扉を開いた状態のパチンコ遊技機の前面側斜視図
【図１０】下皿誘導カセットの前側斜視図
【図１１】下皿誘導カセットの前面透視図
【図１２】下皿誘導カセットの前面透視図
【図１３】払出装置の主要部斜視図
【図１４】払出装置の側断面
【図１５】払出装置の部分側断面図
【図１６】払出装置以降の遊技球の流下経路の側断面図
【図１７】払出装置以降の遊技球の流下経路の一部破断斜視図
【図１８】図１６のＡ−Ａ切断面における流路コア部品等の平断面図
【図１９】流路コア部品の斜視図
【図２０】変形例に係る払出装置以降の遊技球の流下経路の側断面図
【図２１】変形例に係る払出装置以降の遊技球の流下経路の側断面図
【発明を実施するための形態】
【００２３】
［第１実施形態］
以下、本発明を適用したパチンコ遊技機１０に係る第１実施形態を、図１〜図１９に基づいて説明する。図１に示すように、本実施形態のパチンコ遊技機１０は、ガイドレール１２で囲まれた略円形の遊技領域Ｒ１を有し、遊技領域Ｒ１がガラス窓８３Ｗを通して視認可能になっている。
【００２４】
遊技領域Ｒ１の中央部には、表示装置３０が備えられ、遊技領域Ｒ１のうち表示装置３０より下方には、始動入賞口１４、大入賞口１５及びアウト口１６が、上から順に間隔を開けて並べて設けられている。また、遊技領域Ｒ１のうち表示装置３０の両側には、ランプ風車１７、始動ゲート１８、風車１９、一般入賞口２０，２１がそれぞれ設けられ、ガイドレール１２に沿った両側端部には、サイドランプ２２，２２が設けられている。また、遊技領域Ｒ１全体に亘って、図示しない複数の障害釘が起立している。
【００２５】
パチンコ遊技機１０の前面のうちガラス窓８３Ｗの下方には、上皿２６及び下皿２７が上下２段にして設けられている。また、パチンコ遊技機１０の前面における右下角部には操作ノブ２８が備えられている。そして、この操作ノブ２８を操作すると、上皿２６に貯留された遊技球（本発明の「遊技媒体」に相当する）が、順次、遊技領域Ｒ１の上部に弾き出され、それら遊技球が遊技領域Ｒ１を流下する。その遊技球が遊技領域Ｒ１を流下する途中で上記した各入賞口１４，１５，２０，２１に入球すると、その賞球として複数の遊技球が上皿２６内に払い出される。そして、上皿２６が満杯の状態で上記各入賞口１４，１５，２０，２１に遊技球が入球した場合には、その賞球としての複数の遊技球が下皿２７内に払い出される。
【００２６】
上記した一般入賞口２０、始動ゲート１８等の各部位の詳細構造は以下のようになっている。一般入賞口２０，２１は、遊技板１１から突出した部材の上面に開口を備えた、所謂ポケット構造をなし、遊技球が丁度１つ入球可能な大きさで上方に開口している。
【００２７】
始動ゲート１８は、遊技球が潜って通過可能な門形構造をなし、通過した遊技球は始動ゲート１８に内蔵された図示しない普通図柄始動スイッチによって検出される。この検出信号に基づいて、液晶表示画面３０Ｂの一角に設けられた普通図柄表示部１８Ｈにおいて図柄が変動表示される。具体的には、「０」〜「９」までの数字からなる数字図柄が所定期間に亘って変動表示された後、所定の数字図柄が停止表示される。
【００２８】
始動入賞口１４も、一般入賞口２０，２１と同様に、ポケット構造をなしている。始動入賞口１４の開口の左右両側には可動翼片１４Ａ，１４Ａが備えられている。これら両可動翼片１４Ａ，１４Ａは、常には起立状態になっており、このとき両可動翼片１４Ａ，１４Ａに挟まれた始動入賞口１４の開口幅は、遊技球が１つだけ入る大きさとなっている。そして、普通図柄表示部１８Ｈで停止表示された数字図柄が奇数になると、遊技板１１の裏に設けた図示しないソレノイドが駆動されて、可動翼片１４Ａ，１４Ａが所定期間（例えば、０．４秒間）に亘って横に倒される。すると、始動入賞口１４の側方を流下する遊技球が可動翼片１４Ａに受け止められて始動入賞口１４に案内されるようになって始動入賞口１４に入賞し易くなる。
【００２９】
始動入賞口１４に遊技球が入球すると、液晶表示画面３０Ｂにおいて図柄が変動表示される。具体的には、液晶表示画面３０Ｂには、通常、３つの特別図柄３１Ａ，３１Ｂ，３１Ｃが横並びに表示されている。これら各特別図柄３１Ａ，３１Ｂ，３１Ｃには、例えば、「０」〜「１１」の数字を表記した複数種類がそれぞれ備えられ、通常は、何れかの種類の特別図柄３１Ａ，３１Ｂ，３１Ｃが停止表示されている。そして、始動入賞口１４に遊技球が入賞したときに、これら３つの特別図柄３１Ａ，３１Ｂ，３１Ｃが、上下方向にスクロール表示され、所定時間後に、例えば、左、右、中の順で各特別図柄３１Ａ，３１Ｃ，３１Ｂが停止表示される。また、全ての特別図柄３１Ａ，３１Ｂ，３１Ｃが同じ図柄、即ち、ぞろ目になった場合に、遊技が「大当たり状態」になる。
【００３０】
なお、液晶表示画面３０Ｂにおいて特別図柄３１Ａ，３１Ｂ，３１Ｃが変動表示又は「大当たり状態」の最中に始動入賞口１４に入賞した場合、その入賞球は最大で４個まで保留記憶され、特別図柄３１Ａ，３１Ｂ，３１Ｃが停止表示又は「大当たり状態」が終了すると、その保留記憶に基づいて再び、特別図柄３１Ａ，３１Ｂ，３１Ｃが変動表示される。
【００３１】
大入賞口１５は、横長矩形に形成されて前方に開放しており、常には、可動扉１５Ｔにて閉塞されている。パチンコ遊技機１０が「大当たり状態」になると、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３２】
図２には、上記した遊技領域Ｒ１を前面に有した遊技板１１が示されている。パチンコ遊技機１０は、この遊技板１１と、機構枠８１と外枠８２とガラス枠８３と下皿扉８４とを組み付けてなる。以下、これら遊技板１１、機構枠８１等の説明において、遊技者に対向する側を前面側、その反対側を後面側と呼ぶこととする。
【００３３】
遊技板１１は、縦長の略長方形の木板における上部両角部を斜めにカットした形状になっている。また、遊技板１１には、複数の貫通孔（図示せず）が穿孔されて、それら貫通孔に上記した大入賞口１５、表示装置３０等（図１参照）が取り付けられている。さらに、遊技板１１の前面には、上記したガイドレール１２が取り付けられると共に、複数の障害釘（図１参照）が打ち付けられ、遊技板１１の後面には、図６に示すように、主制御基板３２Ａ及び従制御基板３２Ｂが取り付けられている。そして、これら主制御基板３２Ａ及び従制御基板３２Ｂによって前記した表示装置３０の表示画像や、可動翼片１４Ａの開閉動作や、遊技の当否確率の変更等の制御を行っている。
【００３４】
外枠８２（図２参照）は、木製の長板を縦長矩形状に接合した構造をなしている。そして、この外枠８２が遊技ホールの遊技島（図示しない）に固定される。外枠８２には、前面視左側の上下２箇所に金属製のヒンジベース８５，８５が取り付けられ、それら各ヒンジベース８５から上方に突出したヒンジピン８５Ｐが突出している。
【００３５】
機構枠８１は、ヒンジピン８５Ｐを介して外枠８２の一側部に回動可能に連結され、通常は、図４に示すように、外枠８２の前面に重ねた状態で施錠されている。また、図２に示すように、機構枠８１の内側面における後縁部からは、内側に向けて基板係止突壁７７Ｔが突出していて、その基板係止突壁７７Ｔより前方側が遊技板嵌合部７７になっている。そして、この遊技板嵌合部７７に前方から遊技板１１が嵌合されて固定され、図４に示すように、遊技板１１の後面の主制御基板３２Ａ等が後方に臨んでいる。
【００３６】
図２に示すように、機構枠８１の前面における下端右角部には、前記した操作ノブ２８が備えられている。そして、図８及び図９に示すように、機構枠８１のうち操作ノブ２８と反対側の側縁部に、ガラス枠８３と下皿扉８４とが回動可能に連結されている。また、これらガラス枠８３及び下皿扉８４は、通常は、機構枠８１の前面を覆った状態で施錠されている。
【００３７】
下皿扉８４は、前面側に前記下皿２７を備え、機構枠８１の前面のうち操作ノブ２８を除いた下端領域全体を覆っている。図８に示すように、下皿２７の底面には、排出孔２７Ｓが形成され、下皿２７の底面は排出孔２７Ｓに向かって緩やかに下っている。この排出孔２７Ｓは、常には閉じていて、下皿２７の下面に備えた球抜レバー４７の操作によって排出孔２７Ｓが開く。このとき、例えば、排出孔２７Ｓの下方に図示しない受容箱（所謂、ドル箱）を配置しておけば、下皿２７から受容箱（所謂、ドル箱）へと遊技球を移動することができる。また、図示しないが、下皿扉８４の後面には、下皿２７に連通した払出孔と抜球導入孔とが開口している。そして、上皿２６の満杯時に払出孔を通して遊技球が下皿２７に払い出されると共に、遊技を止める際に所定のボタンを押すことで、後述する球送りカセット８７内の遊技球が下皿２７に払い出される。
【００３８】
ガラス枠８３は、機構枠８１の前面のうち下皿扉８４にて覆われた下端領域を除く全体を覆っている。また、ガラス枠８３の下端部には前記した上皿２６が備えられ、その上皿２６の上方にはガラス窓８３Ｗが備えられている。さらに、ガラス枠８３の前面上端部における両角部には１対のスピーカ８３Ｓ，８３Ｓが備えられている。
【００３９】
図９に示すように、ガラス枠８３の後面には、ガラス枠８３の回動中心から離れた側の端部寄り位置に球供給孔２６Ｚが開口している。そして、この球供給孔２６Ｚを通して、上皿２６に貯留した遊技球を、次述する発射装置８６に供給することができる。また、ガラス枠８３の後面のうち球供給孔２６Ｚの下方には、球抜孔２６Ｘが開口している。この球抜孔２６Ｘは通常は閉じていて、上皿２６の上面に備えた球抜ボタン２６Ｂ（図１参照）を操作すると開き、上皿２６から下皿２７へと遊技球が移動する。ガラス枠８３の後面のうちガラス枠８３の回動中心寄り位置からは、後方に向けて上皿連結ダクト２６Ｔが突出している。そして、この上皿連結ダクト２６Ｔを通して機構枠８１側から上皿２６へと遊技球が払い出される。
【００４０】
図２に示すように、機構枠８１の前面のうち遊技板嵌合部７７より下側部分には、左右方向の中央に発射装置８６が備えられ、その発射装置８６の前面側に球送りカセット８７が取り付けられている。そして、上皿２６（図１参照）に貯留された遊技球が球供給孔２６Ｚ（図８参照）を介して球送りカセット８７に取り込まれ、発射装置８６に１つずつ供給される。なお、この球送りカセット８７及び次述する下皿誘導カセット８８は、透明な樹脂で構成されている。
【００４１】
図２に示すように、機構枠８１のうち機構枠８１の回動中心寄り位置には、前後方向に払出ダクト挿通孔８１Ｈが貫通形成されている。図１６に示すように、払出ダクト挿通孔８１Ｈの内部には、第１払出ダクト３４Ａと第２払出ダクト３４Ｂとが上下に並べた状態にして挿入され、それら第１と第２の払出ダクト３４Ａ，３４Ｂの端部開口が機構枠８１の前方に向かって開放している。そして、ガラス枠８３を閉じると上皿連結ダクト２６Ｔが第１払出ダクト３４Ａに接続されて、機構枠８１の後面側から第１払出ダクト３４Ａを通過して上皿２６に遊技球が払い出されるようになっている。
【００４２】
図９に示すように、機構枠８１の前面のうち回動中心寄り位置には、下皿誘導カセット８８が取り付けられている。図１０には、下皿誘導カセット８８のうち機構枠８１の前面に接合される側の面（後面）から見た状態が示されている。同図に示すように、下皿誘導カセット８８は、機構枠８１の前面に対向配置される前面壁８８Ｆの外縁部から側壁８８Ｓを機構枠８１に向けて張り出して備えている。そして、その側壁８８Ｓの先端を機構枠８１の前面に突き当てた状態にして固定され、機構枠８１の前面と前面壁８８Ｆとの間に遊技球を流下させる空間を形成している。
【００４３】
なお、前面壁８８Ｆのうち第１払出ダクト３４Ａと対向する位置にはダクト挿通孔８８Ｈが形成されている。また、図８に示すように、機構枠８１の前面からはダクト挿通孔８８Ｈを上方から覆うように突壁が突出し、その先端から可動扉８９が垂下している。そして、上皿連結ダクト２６Ｔは、ガラス枠８３と閉じる過程でダクト挿通孔８８Ｈに突入しかつ可動扉８９を上方側に押し開いて第１払出ダクト３４Ａに接続される。
【００４４】
図１１及び図１２には、下皿誘導カセット８８が機構枠８１の前面壁８８Ｆを前方から透かして見た状態が示されている。同図に示すように下皿誘導カセット８８内には、第２払出ダクト３４Ｂの下方位置から斜め右下に向かって延びたメインガイド壁９２が備えられ、そのメインガイド壁９２の下端下方には、可動ガイド９１が備えられている。この可動ガイド９１は、満杯検出センサ９０の弾発可動部９０Ｓによって上方に付勢されていて、通常は、メインガイド壁９２の下端から斜め下方に転落した遊技球を更に斜め下方に案内する。また、可動ガイド９１の右下延長上には、遊技球を下皿誘導カセット８８の前面側に案内する湾曲ガイド９６が備えられている。さらに、下皿誘導カセット８８のうち右下角部には、排出孔８８Ｘが前方に向かって開口している。そして、メインガイド壁９２、可動ガイド９１、湾曲ガイド９６にガイドされた遊技球が排出孔８８Ｘから下皿誘導カセット８８の前方に排出され、前記した下皿扉８４の図示しない払出孔を通して下皿２７に遊技球が払い出される。
【００４５】
下皿誘導カセット８８の上面における左右方向の中央には、ファール球導入孔８８Ｌが備えられ、そのファール球導入孔８８Ｌの下方には、複数のサブガイド壁９３，９４，９５が段違いに配置して備えられている。そして、発射装置８６から発射されて遊技領域Ｒ１に到達しなかった遊技球がファール球導入孔８８Ｌを通って下皿誘導カセット８８内に進入し、複数のサブガイド壁９３，９４，９５に案内されてメインガイド壁９２又は可動ガイド９１上に転落して排出孔８８Ｘへと案内される。
【００４６】
なお、下皿２７が満杯になると、図１２に示すように、下皿誘導カセット８８内で湾曲ガイド９６から可動ガイド９１に亘って遊技球が滞留し、それら遊技球の自重によって可動ガイド９１が押し下げられ満杯検出センサ９０がオンする。これにより、下皿２７が満杯であることを検出することができる。
【００４７】
図４に示すように、機構枠８１の後面のうち遊技板嵌合部７７より下側部分には、前記した一般入賞口２０，２１、始動入賞口１４、大入賞口１５及びアウト口１６を通過して遊技板１１の後面側に取り込まれた遊技球を回収して遊技ホールの図示しない球循環システムに戻すための球回収ダクト８１Ｄが設けられている。また、その球回収ダクト８１Ｄの後方には、発射制御基板３２Ｍ、電源基板３２Ｆ、払出制御基板３２Ｌが取り付けられている。
【００４８】
図３に示すように、機構枠８１のうち基板係止突壁７７Ｔの後面からは、保護囲壁７６Ａが後方に向けて突出している。そして、図６に示すように、この保護囲壁７６Ａにより、主制御基板３２Ａ、従制御基板３２Ｂ及び表示装置３０等が上方及び両側方から覆われている。
【００４９】
図４に示すように、保護囲壁７６Ａの後面開口には、後面カバー７６Ｂが回動可能に組み付けられている。この後面カバー７６Ｂは、保護囲壁７６Ａの後面開口における上側部分を閉塞可能な大きさをなし、通常は閉塞状態に固定されている。
【００５０】
なお、保護囲壁７６Ａの後面開口のうち下側部分は常時開放され、主制御基板３２Ａが露出している。また、保護囲壁７６Ａ及び後面カバー７６Ｂは、透明な樹脂で構成されている。
【００５１】
図３に示すように、保護囲壁７６Ａの上端部には貯留タンク７５が設けられ、遊技ホールに備えた球循環システムから貯留タンク７５へと遊技球が供給されて一時的に貯留される。そして、貯留タンク７５の貯留された遊技球が、保護囲壁７６Ａの上辺に沿って保護囲壁７６Ａの後面視右側に流下してから、保護囲壁７６Ａの右側の側辺部分を鉛直下方に移動し、さらに、機構枠８１の払出ダクト挿通孔８１Ｈ（図２参照）の貫通孔を通過して前記した上皿２６又は下皿２７に払い出されるようになっている。
【００５２】
具体的には、図５に示すように、貯留タンク７５は、保護囲壁７６Ａの上面に一体形成された側壁を有して上面が開放した容器構造をなしている。また、貯留タンク７５は、図６に示すように、保護囲壁７６Ａを後側から見て左寄りに配置され、図５に示すように、保護囲壁７６Ａの前後方向の略全体に亘った大きさになっている。さらに、貯留タンク７５における後面視、右側の後端角部からは、右方向に上辺樋７８が延び、その上辺樋７８の終端部分が、保護囲壁７６Ａの後面視、右側辺部分に備えた側辺樋７９の上端部に連絡されている。なお、貯留タンク７５の底面には、板金７５Ｋが敷設されてアース接続され、これにより、遊技球の静電気が除去されるようになっている。
【００５３】
上辺樋７８は、遊技球が１つ分の幅の１対の上辺個別流下樋７８Ａ，７８Ａをパチンコ遊技機１０の前後方向に並べて備えた構造をなし、保護囲壁７６Ａの後端面に配置されている。また、上辺樋７８は、貯留タンク７５から側辺樋７８に向けて下るように僅かに傾斜しかつ、上辺樋７８の各上辺個別流下樋７８Ａは保護囲壁７６Ａの前後方向に蛇行した形状になっている。上辺樋７８では、貯留タンク７５側から段積み状態になって流下してきた遊技球群に、蛇行形状部で衝撃を与え、これにより、段積み状態の解消を図っている。
【００５４】
側辺樋７９は、遊技球が１つ分の幅の１対の側辺個別流下樋７９Ａ，７９Ａをパチンコ遊技機１０の左右方向に並べて備え、保護囲壁７６Ａの後端面に配置されている。そして、上辺樋７８の１対の上辺個別流下樋７８Ａ，７８Ａが、側辺樋７９の１対の側辺個別流下樋７９Ａ，７９Ａの上端部に連通している。この側辺樋７９の各側辺個別流下樋７９Ａも上辺樋７８と同様に前後方向に蛇行している（図７参照）。側辺樋７９では、各側辺個別流下樋７９Ａを蛇行形状としたことで遊技球の流下速度が抑えられるようになっている。なお、各側辺個別流下樋７９Ａの中間部には、球カウンタ７９Ｃ，７９Ｃが備えられ、各側辺個別流下樋７９Ａを通過する遊技球をカウントしている。
【００５５】
側辺樋７９の下端部は、図３に示すように、遊技板嵌合部７７における下端寄り位置に配置されて払出装置７２に接続されている。図１３に示すように、払出装置７２には、遊技球が１つのみ通過可能な大きさの流下通路７２Ａが対をなして横並びに設けられている。それら流下通路７２Ａ，７２Ａは、上下方向に延び且つ途中でクランク状に屈曲している。また、流下通路７２Ａ，７２Ａの始端部は、払出装置７２の上面に横並びになって開口し、側辺樋７９における側辺個別流下樋７９Ａ，７９Ａに連絡されている。一方、流下通路７２Ａ，７２Ａの終端部は、払出装置７２の下面に横並びになって開口して１対の球排出口７２Ｘ，７２Ｘ（図１５（Ａ）参照）になっている。
【００５６】
図１５（Ａ）に示すように、両流下通路７２Ａ，７２Ａの下端部同士の間にはスクリュー７０が設けられ、そのスクリュー７０から側方に張り出した螺旋翼７０Ａが各流下通路７２Ａ，７２Ａ内に突入して遊技球の通過を規制している（図１４参照）。そのスクリュー７０は、ステッピングモータ７３によって回転駆動可能となっており、スクリュー７０が１８０度回転する度に、螺旋翼７０Ａの下端部が各流下通路７２Ａ，７２Ａ内を交互に通過し、これにより１対の球排出口７２Ｘ，７２Ｘから交互に遊技球が鉛直下方に向かって排出される（図１５（Ｂ）参照）。結果、１対の球排出口７２Ｘ，７２Ｘから互いに異なる落下地点である後述する個別流下樋６１，６１へ交互に遊技球が流下することになる。
【００５７】
ステッピングモータ７３によるスクリュー７０の回転駆動角度は、前記した払出制御基板３２Ｌ（図４参照）によって制御されている。具体的には、前記した入賞口１４，１５，２０，２１等に遊技球が入賞すると、これを遊技板１１の裏面に備えた遊技球検出スイッチが検出して検出信号を払出制御基板３２Ｌに付与する。払出制御基板３２Ｌは、始動入賞口１４及び一般入賞口２０，２１の何れかに１つ遊技球が入賞する毎に、その賞球として例えば４個の遊技球が払出装置７２から排出されるようにステッピングモータ７３を駆動制御すると共に、遊技球大入賞口１５に１つ遊技球が入賞する毎に、その賞球として例えば１５個の遊技球が払出装置７２から排出されるようにステッピングモータ７３を駆動制御する。なお、両流下通路７２Ａ，７２Ａの下端部には、それぞれ払出センサ７１，７１（図１３参照）が設けられ、これら払出センサ７１が各流下通路７２Ａから排出された遊技球の数を確認するようになっている。
【００５８】
図５に示すように、払出装置７２における後端部は球抜部７２Ｖになっている。そして、球抜部７２Ｖの後面に備えた操作レバー７２Ｗ，７２Ｙを操作することで、流下通路７２Ａ，７２Ａの中間部が球抜部７２Ｖ内の図示しない流下路に連通し、球抜部７２Ｖの下面に備えた球抜孔７２Ｚ（図１６参照）から遊技球が排出される。
【００５９】
図１６に示すように、払出装置７２の下方には、払出装置７２の球排出口７２Ｘから排出された遊技球を、前記した払出ダクト挿通孔８１Ｈ側へと案内する払出流下経路Ｒ２と、払出装置７２の球抜部７２Ｖから排出された遊技球を、前記した球回収ダクト８１Ｄ（図示せず）を経由して遊技ホールの球循環システムに戻すための球抜流下経路Ｒ３とが設けられている。
【００６０】
払出流下経路Ｒ２のうち払出装置７２側の部分は、分配ボックス３４と複合樋５１とで構成されている。図１７に示すように、分配ボックス３４は、大箱部３６の上面前端寄り位置に小箱部３７を設けて、それら大箱部３６と小箱部３７の内部を連通させた構造になっている。この複合樋５１は、流路コア部品５０の一部として備えられている。この流路コア部品５０は、上下方向で払出装置７２と分配ボックス３４の大箱部３６との間に挟まれかつ、分配ボックス３４の小箱部３７の後方に重ねて配置されている。以下、流路コア部品５０、分配ボックス３４の詳細について説明する。
【００６１】
図１９に示すように、流路コア部品５０は、分配ボックス３４の小箱部３７（図１６参照）の後面に対向した略縦長のベース壁５４を備えている。そのベース壁５４の前面における両側縁部からは、前方に１対の外側壁５５，５５が突出し、ベース壁５４の前面における上下方向の中間部からは、中段壁５６が突出していて１対の外側壁５５，５５の間を連絡している。
【００６２】
１対の外側壁５５，５５は左右対称な形状をなし、中段壁５６より上側部分に第１と第２の屈曲部Ｐ１，Ｐ２を備えている。また、第１屈曲部Ｐ１は第２屈曲部Ｐ２より上方に位置し、１対の外側壁５５，５５は第１屈曲部Ｐ１より上方部分で互いに平行になっている。そして、両外側壁５５，５５は、第１と第２の第２屈曲部Ｐ１，Ｐ２の間で下方に向かうに従って互いに接近するように傾斜し、さらに、第２屈曲部Ｐ２より下側部分では、両外側壁５５，５５が互いに平行になっている。なお、中段壁５６の前端部は外側壁５５，５５より若干前方に突出している。
【００６３】
中段壁５６より上方部分には、外側壁５５，５５の間の中央に樋区画壁５７が設けられている。そして、樋区画壁５７によって１対の外側壁５５，５５の間が、１対の個別流下樋６１，６１に区画され、これにより１対の個別流下樋６１，６１からなる複合樋５１が構成されている。
【００６４】
樋区画壁５７は、中州形突壁５８と区画リブ５９とからなる。中州形突壁５８は、ベース壁５４の上端部から前記した外側壁５５の第２屈曲部Ｐ２より若干上方の位置に亘って配置され、下方に向かって先細り状になっている。区画リブ５９は、外側壁５５のうち第２屈曲部Ｐ２より下側部分と平行になった平板状をなし、ベース壁５４の前面と中段壁５６の上面とに跨って一体形成されている。また、区画リブ５９の先端縁は、凹状に湾曲している。そして、区画リブ５９の先端縁が中州形突壁５８から略鉛直下方に延びてから湾曲して斜め下側前方へと向かい、終端部分が水平に近い緩やかな前下がりの傾斜状態になって、中段壁５６の先端面まで達している
【００６５】
各個別流下樋６１は、遊技球が１つだけ通過可能な大きさをなし、各個別流下樋６１のうち区画リブ５９と外側壁５５との中央位置には、ガイドリブ６０がそれぞれ設けられている。ガイドリブ６０は、区画リブ５９と同様に、外側壁５５のうち第２屈曲部Ｐ２より下側部分と平行になった平板状をなし、ベース壁５４の前面と中段壁５６の上面とに跨って一体形成されている。また、ガイドリブ６０の先端縁は、区画リブ５９と同様に凹状に湾曲していて、ガイドリブ６０におけるベース壁５４の前面からの突出量及びガイドリブ６０における中段壁５６の上面からの突出量は、共に区画リブ５９のベース壁５４の前面及び中段壁５６の上面からの突出量より小さくなっている。そして、ガイドリブ６０の先端曲面の全体が、区画リブ５９の先端曲面より、湾曲中心から離れる側にずれている。なお、各ガイドリブ６０の上端部は、ベース壁５４の前面から緩やかに立ち上がり、ベース壁５４の前面に連続している。
【００６６】
図１６に示すように、１対の個別流下樋６１，６１の上端開口は、払出装置７２の球排出口７２Ｘ，７２Ｘに下方から対向している。そして、１対の個別流下樋６１，６１は、球排出口７２Ｘ，７２Ｘから下方に排出された遊技球を鉛直方向に降下させて受け入れ、各外側壁５５のうち第１と第２の屈曲部Ｐ１，Ｐ２の間の傾斜部５５Ｋで遊技球を樋区画壁５７側に向かわせ（即ち、複合樋５１の幅が狭くなるようになっている）、さらに、ガイドリブ６０，６０の先端曲面によって遊技球を略水平前方に向かわせる。すなわち、個別流下樋６１，６１のうちガイドリブ６０，６０が設けられた部分が、本発明に係る「方向変換部」になっている。
【００６７】
なお、図１９に示すように、流路コア部品５０のうちベース壁５４の上部後方には、軸方向が左右方向を向いた角筒部５２が形成されている。その角筒部５２は、ベース壁５４の上端部を後方側に向けて四角形に巻回した構造をなしている。また、流路コア部品５０の後面には、両側縁部から１対の後部対向壁５３，５３が後方に張り出している。それら後部対向壁５３，５３は、角筒部５２の後面から下面、さらに、ベース壁５４のうち角筒部５２より下側部分に亘る範囲に形成されている。
【００６８】
また、図１６に示すように、流路コア部品５０の上面には後面樋カバー６９が取り付けられ、その後面樋カバー６９が後部対向壁５３，５３の間の後面側の開口を閉塞して球抜流下経路Ｒ３の上側部分が形成されている。また、後面樋カバー６９は、大箱部３６の後面を覆っていて、その大箱部３６の後面との間に球抜流下経路Ｒ３の中間部分を形成している。さらに、図５に示すように、大箱部３６の側面には、角筒状の案内筒３６Ｄが形成されていて、後面樋カバー６９の下端部が案内筒３６Ｄの後端部に接続され（図４参照）、その案内筒３６Ｄの前端部が前記した球回収ダクト８１Ｄ（図示せず）に接続されている。これにより、払出装置７２からの抜き球が、球抜流下経路Ｒ３を通して球回収ダクト８１Ｄに流下する。
【００６９】
次に、分配ボックス３４について説明する。分配ボックス３４の小箱部３７の後面上端寄り位置には球受入口３７Ｋが形成されている。また、球受入口３７Ｋの上側の後面上端壁３７Ｔは、１対の個別流下樋６１，６１の上端部から第２屈曲部Ｐ２（図１９参照）までを前方から覆っている。そして、球受入口３７Ｋは、１対の個別流下樋６１，６１のうち後面上端壁３７Ｔによって覆われていない下端開口に前方から対向している。
【００７０】
球受入口３７Ｋの下側の開口縁部からは、分配ボックス３４の内側に向けて庇ガイド壁３８が張り出している。庇ガイド壁３８は、斜め前側下方に向かって若干傾斜していて、その庇ガイド壁３８の先端は小箱部３７における前後方向の中間に位置している。そして、球受入口３７Ｋに進入した遊技球が、庇ガイド壁３８の上面３８Ｊ（本発明の「中間転動面」に相当する）上を転動して、庇ガイド壁３８の先端から前側下方へ放出される。
【００７１】
ここで、球受入口３７Ｋの上側の開口縁には、支軸部４１Ｊが備えられて、その支軸部４１Ｊから回動扉４１が垂下されている。この回動扉４１は、通常は、支軸部４１Ｊから鉛直下方に垂下して球受入口３７Ｋを閉塞する閉塞位置（本発明の「垂下位置」に相当する）に配置され、庇ガイド壁３８の上面３８Ｊ上を転動する遊技球に押されて、分配ボックス３４の内側上方に押し上げられるように回動する。また、支軸部４１Ｊより前側には、ストッパ壁４２が小箱部３７の天井面から垂下されている。そして、遊技球に押されて回動扉４１が大きく跳ね上げられた場合には、このストッパ壁４２に当接することで回動が規制され、早期に閉塞位置に復帰するようになっている。
【００７２】
回動扉４１における球受入口３７Ｋ側を向いた面の左右方向の中央には、区画突条１００が上下方向に延びた状態に形成されている。この区画突条１００の上端は、回動扉４１が閉塞位置にあるとき、後面上端壁３７Ｔの下面に当接する。これにより、回動扉４１が閉塞位置から球受入口３７Ｋ側へ回動することが規制されている。すなわち、球受入口３７Ｋが本発明の「中間弁口」に相当し、回動扉４１の区画突条１００と後面上端壁３７Ｔとで本発明の「回動ストッパ」が構成されている。
【００７３】
さて、庇ガイド壁３８の先端から放出された遊技球は小箱部３７の前側壁３７Ｚ（本発明の「跳返側壁」に相当する）へと向かって流下する。この前側壁３７Ｚのうち小箱部３７の内側を向いた面には、シート支持板３９が取り付けられ、そのシート支持板３９の表面に緩衝シート４０（本発明の「緩衝部材」に相当する）が固定されている。緩衝シート４０は、庇ガイド壁３８より高い位置から庇ガイド壁３８より下方でかつ大箱部３６との境界部分に亘る範囲に配置され、遊技球と衝突可能になっている。
【００７４】
具体的には、シート支持板３９は、鉛直方向に平行な板の上端及び下端が中間部から前方にずらされた段突き状になっている。そして、シート支持板３９の中間部に緩衝シート４０が敷設されている。小箱部３７の前面壁３７Ｚには、シート支持板３９の形状に合わせた凹部３７Ａが設けられ、そこにシート支持板３９が嵌め込まれて、前後方向に抜け止めされている。また、緩衝シート４０は、大箱部３６の前側内面よりも分配ボックス３４の内側に突き出ている。
【００７５】
分配ボックス３４の大箱部３６の底面からは区画突壁３６Ｔが突出している。区画突壁３６Ｔは、大箱部３６の底面における左右方向全体に亘って延び、大箱部３６における前後方向の中央より若干前寄りに配置されている。また、区画突壁３６Ｔは、大箱部３６全体の高さの略半分の大きさをなしている。そして、大箱部３６の底面のうち区画突壁３６Ｔより前側部分から第１払出ダクト３４Ａが延び、大箱部３６の底面のうち区画突壁３６Ｔより後側部分から第２払出ダクト３４Ｂが延びている。
【００７６】
詳細には、区画突壁３６Ｔは庇ガイド壁３８の先端より若干後側に配置され、第１払出ダクト３４Ａの上端開口が小箱部３７の前側壁３７Ｚと庇ガイド壁３８の先端とに挟まれた空間の下方に位置している。すなわち、庇ガイド壁３８の先端から遊技球が真下に落下すると、第１払出ダクト３４Ａ内に進入するようになっている。また、第２払出ダクト３４Ｂの上端開口は、第１払出ダクト３４Ａの上端開口のすぐ後側にあって、庇ガイド壁３８の基幹部の下方に位置すると共に、複合樋５１の下方、すなわち、払出装置７２の球排出口７２Ｘの下方に位置している。これら第１及び第２の払出ダクト３４Ａ，３４Ｂは共に湾曲しかつ第１払出ダクト３４Ａの下方に第２払出ダクト３４Ｂが重ねられた状態になって、払出ダクト挿通孔８１Ｈ内に挿通されている。
【００７７】
上記分配ボックス３４の構成により、本実施形態では、大箱部３６のうち区画突壁３６Ｔの先端より上側部分が、本発明に係る分岐部１０１Ａになり、第１払出ダクト３４Ａから上皿２６まで遊技球を案内する部分（すなわち、第１払出ダクト３４Ａと上皿連結ダクト２６Ｔ）が、本発明に係る第１貯留皿ガイド１０１Ｂになり、大箱部３６のうち区画突壁３６Ｔより後側かつ区画突壁３６Ｔの先端より下側部分と第２払出ダクト３４Ｂから下皿２７まで遊技球を案内する部分とが、本発明に係る第２貯留皿ガイド１０２になっている。また、第１貯留皿ガイド１０１Ｂに分配ボックス３４と複合樋５１とを追加した部分（すなわち、複合樋５１、分配ボックス３４、第１払出ダクト３４Ａ及び上皿連結ダクト２６Ｔ）が、本発明に係るメイン流下ガイド１０１になっている。そして、第１払出ダクト３４Ａの上流側端部が、本発明に係る第１皿導入口１０１Ｓになり、上記した第２貯留皿ガイド１０２のうち区画突壁３６Ｔより後側部分が、本発明の第２皿導入口１０２Ｓになっている。
【００７８】
区画突壁３６Ｔの前面、すなわち、第１皿導入口１０１Ｓの下側内面３４Ｋ（本発明の「下流湾曲ガイド面」に相当する）は、下方に向かうに従って前側に向かうように凹状に湾曲し、上方から転落してきた遊技球をスムーズに前方に方向転換するようになっている。ここで、図１６において架空の延長線Ｋ１は、第１皿導入口１０１Ｓの下側内面３４Ｋを上方に延長した延長面を表し、庇ガイド壁３８の下面と交差している。
【００７９】
また、図１８に示すように、第１払出ダクト３４Ａは、大箱部３６から離れるに従って幅狭になり、第２払出ダクト３４Ｂも図示しないが第１払出ダクト３４Ａと同様に大箱部３６から離れるに従って幅狭になっている。
【００８０】
本実施形態のパチンコ遊技機１０の構成に関する説明は以上である。次に、このパチンコ遊技機１０の作用効果について説明する。図１に示した操作ノブ２８を操作して複数の遊技球を遊技領域Ｒ１に打ち込むと、それら遊技球が遊技領域Ｒ１を流下する途中で所定の入賞口１４，１５，２０，２１に入賞し、これが遊技板１１の裏面に備えた遊技球検出スイッチにて検出され、その検出信号が払出制御基板３２Ｌ（図６）に付与される。そして、払出装置７２が払出制御基板３２Ｌに制御されて、球排出口７２Ｘ，７２Ｘから鉛直下方に向けて複数の遊技球を１つずつ交互に排出する。
【００８１】
すると、図１６に示すように、各遊技球が、複合樋５１の各個別流下樋６１内を最初は鉛直落下し、途中で徐々に前方に向かうように方向変換され、球受入口３７Ｋから分配ボックス３４内に進入する。そして、遊技球は庇ガイド壁３８の上面３８Ｊ上を転動して庇ガイド壁３８の先端から斜め前方に流下し、分配ボックス３４の下端部前側で上方を向いて開口した第１払出ダクト３４Ａ内へと落下する。ここで、庇ガイド壁３８の上面３８Ｊ上を転動する遊技球の流下速度の水平成分（以下、水平速度と呼ぶ）が比較的大きい場合には、分配ボックス３４の前側壁３７Ｚに衝突して斜め下方に跳ね返される。一方、水平速度が比較的小さい場合には、その遊技球は小箱部３７の前側壁３７Ｚに衝突せずにそのまま落下する。
【００８２】
そして、第１払出ダクト３４Ａから上皿２６へと遊技球が払い出される。ここで、上皿２６が遊技球で満杯になり、第１払出ダクト３４Ａにおける分配ボックス３４内の始端部まで遊技球が満たされると、庇ガイド壁３８から落下した遊技球が、第１払出ダクト３４Ａの始端部に満たされた遊技球に衝突して区画突壁３６Ｔを乗り越え、分配ボックス３４の底面における後側部分に開口した第２払出ダクト３４Ｂ内へと落下する。そして、第２払出ダクト３４Ｂから下皿２７へと遊技球が払い出される。なお、下皿２７が満杯になると、図１０に示した満杯検出センサ９０がオンし、その旨が遊技者及び遊技ホールの管理室内に報知される。
【００８３】
さて、本実施形態のパチンコ遊技機１０では、遊技球が庇ガイド壁３８の上面３８Ｊ上を転動する際、回動扉４１を押し上げながら通過するので、遊技球の水平速度が低減される。これにより、遊技球は庇ガイド壁３８の先端から第１払出ダクト３４内へと落下し、エラー払出が抑制される。ここで、回動扉４１による水平速度の低減が十分でない場合でない場合には、遊技球は小箱部３７の前側壁３７Ｚに衝突して後側下方に跳ね返される。この跳ね返り距離が大きいと、遊技球は第２皿導入口１０２Ｓに進入するが、本実施形態では、分配ボックス３４のうち小箱部３７の前側壁３７Ｚに、遊技球と衝突可能な緩衝部材４０を備えているので、遊技球の跳ね返り距離が抑えられ、エラー払出を抑制することができる。また、万一、回動扉４１が遊技球に押し上げられた状態で、次に流下する遊技球が回動扉４１と衝突せずに（すなわち、水平速度が低減されずに）通過しても、緩衝部材４０によって跳ね返り距離を抑えることができ、従来よりエラー払出の発生を抑制することが可能になる。
【００８４】
このように、本実施形態のパチンコ遊技機１０では、庇ガイド壁３８の上面３８Ｊ上を転動している間、又は、小箱部３７の前側壁３７Ｚに衝突した際に、遊技球の水平速度を低減することができるので、前側壁３７Ｚとの衝突を抑え、あるいは、前側壁３７Ｚと衝突した際の跳ね返り距離を抑えることができ、従来よりエラー払出の発生を抑制することができる。また、庇ガイド壁３８の下面が第１皿導入口１０１Ｓの下側内面３４Ｋを上方に延長した延長面（図１６における延長線Ｋ１）と交差する構成にしたので、上皿２６から針金などの異物を挿入して払出装置７２を不正に作動させようとしても、第１皿導入口１０１Ｓの下側内面３４Ｋに案内された異物が庇ガイド壁３８の下面に当接して払出装置７２まで届かなくなり、不正行為を防ぐことができる。さらに、異物がこの当接を回避して上流側に向かっても、回動扉４１が、通常は球受入口３７Ｋを閉塞し、球受入口３７Ｋ側へ回動不能になっているので、異物は回動扉４１に接触して払出装置７２まで届かず、不正行為が抑制される。
【００８５】
また、本実施形態では、複合樋５１の内部に備えたガイドリブ６１，６１によって遊技球を案内するので、複合樋５１のうちガイドリブ６１，６１が立ち上がった外郭部分（ベース壁５４，中段壁５６）の壁の形状を簡素化することができる。さらに、第２皿導入口１０２Ｓが払出装置７２の球排出口７２Ｘ，７２Ｘの真下に位置しているので、庇ガイド壁３８の下方のスペースを有効利用することができる。
【００８６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８７】
（１）図２０に示すように、鉛直方向に平行な流路がクランク状に屈曲されて中間部が略水平になった構成をなし、その屈曲部分より下流側の側方に第２貯留皿ガイド１０２Ｖが連絡されたメイン流下ガイド１０１Ｖにおいて、その略水平に延びる部分に回動扉４１Ｗを設け、略水平方向に案内された遊技球が衝突する内側面に緩衝部材４０Ｗを備えた構成であってもよい。
【００８８】
（２）回動扉４１を、庇ガイド壁３８より摩擦係数が大きな部材で構成してもよい。この構成によれば、遊技球が回動扉４１を押し上げて通過する際、庇ガイド壁３８の上面３８Ｊ上を転動回転方向と逆方向に回転して摺接しながら移動することになり、水平速度を抑えることができる。
【００８９】
（３）前記実施形態では、小箱部３７の前側壁３７Ｚに緩衝部材４０が備えられていたが、図２１に示すように回動扉４１Ｖを備えた構成にしてもよい。この構成によれば、遊技球が回動扉４１Ｖと衝突して跳ね返される際に、回動扉４１Ｖを押し上げるので、衝撃が吸収されて水平速度を抑えることができる。
【００９０】
（４）前記実施形態では個別流下樋６１，６１にガイドリブ６０，６０が設けられていたが、ベース壁５４の前面を遊技球が前方に案内されるように凹状に湾曲させてもよい。
【００９１】
（５）前記実施形態では、遊技媒体は、球状であったが、例えば、ラグビーボールのような楕円体であってもよいし、サッカーボールのような多面体であってもよい。
【符号の説明】
【００９２】
１０    パチンコ遊技機
２６    上皿（第１貯留皿）
２７    下皿（第２貯留皿）
３４    分配ボックス
３４Ａ    第１払出ダクト
３４Ｂ    第２払出ダクト
３４Ｋ    下流湾曲ガイド面
３６    大箱部
３６Ｔ    区画突壁
３７    小箱部
３７Ｋ    球受入口
３７Ｚ    前側壁（跳返側壁）
３８    庇ガイド壁
３８Ｊ    上面（中間転動面）
４０，４０Ｗ    緩衝部材
４１，４１Ｖ，４１Ｗ    回動扉
５０    流路コア部品
５１    複合樋
６０    ガイドリブ
６１    個別流下樋
７２    払出装置
７２Ｘ    球排出口
１００    区画突条
１０１，１０１Ｖ    メイン流下ガイド
１０１Ａ    分岐部
１０１Ｂ    第１貯留皿ガイド
１０１Ｓ    第１皿導入口
１０２，１０２Ｖ    第２貯留皿ガイド
１０２Ｓ    第２皿導入口
【図１】
2011024923.tif 000003
【図２】
2011024923.tif 000004
【図３】
2011024923.tif 000005
【図４】
2011024923.tif 000006
【図５】
2011024923.tif 000007
【図６】
2011024923.tif 000008
【図７】
2011024923.tif 000009
【図８】
2011024923.tif 000010
【図９】
2011024923.tif 000011
【図１０】
2011024923.tif 000012
【図１１】
2011024923.tif 000013
【図１２】
2011024923.tif 000014
【図１３】
2011024923.tif 000015
【図１４】
2011024923.tif 000016
【図１５】
2011024923.tif 000017
【図１６】
2011024923.tif 000018
【図１７】
2011024923.tif 000019
【図１８】
2011024923.tif 000020
【図１９】
2011024923.tif 000021
【図２０】
2011024923.tif 000022
【図２１】
2011024923.tif 000023